(57)【特許請求の範囲】
【請求項１】
シート状のケーブルが挿入されるハウジングと、
前記ハウジングに収容されて前記ケーブルに導通接続される端子と、
前記ハウジングに収容されて前記ケーブルを保持する保持端子と、
を備え、
前記端子は、前記ハウジングに形成された端子収容部に収容されており、
前記保持端子は、前記ハウジングに形成された保持端子収容部に収容されており、
前記端子は、形状が前記保持端子と同一で、前記端子収容部の第１端子収容部に収容される第１端子を有しており、
前記第１端子は、前記ケーブルに接触する接点部を有しており、
前記保持端子は、前記第１端子の接点部と対応する部位に形成されて、前記ケーブルを保持する保持部を有しており、
前記ハウジングをケーブル挿脱方向が水平となるように配置した状態で、前記保持端子収容部に収容された前記保持端子の前記保持部の高さ位置が、前記第１端子収容部に収容された前記第１端子の前記接点部の高さ位置と異なっており、
前記ケーブル挿脱方向が水平となるようにするとともに、前記保持部および前記接点部の上方に前記ケーブルが挿入されるように前記ハウジングを配置した場合には、前記保持部が前記接点部よりも上方に位置することを特徴とするコネクタ。
【請求項２】
前記第１端子は、前記ケーブル挿脱方向に延在して前記接点部が形成される第１端子側アーム部を有しており、
前記保持端子は、前記ケーブル挿脱方向に延在して前記保持部が形成される保持端子側アーム部を有しており、
前記保持端子収容部および前記第１端子収容部のうち少なくとも何れか一方の収容部には、当該収容部に収容される端子のアーム部を変位させる段差部が形成されていることを特徴とする請求項１に記載のコネクタ。
【請求項３】
前記ハウジングが樹脂により形成されており、当該ハウジングを金型により樹脂成形する際に、前記段差部が形成されることを特徴とする請求項２に記載のコネクタ。
【請求項４】
前記保持端子収容部が前記ケーブルの挿脱方向に延在しており、
前記ハウジングを前記ケーブル挿脱方向が水平となるように配置するとともに、前記ケーブルを当該ハウジングに挿入した状態では、前記保持端子収容部の上面および下面のうち少なくとも何れか一方の面は、前記ケーブル挿脱方向の離脱側のほうが、前記ケーブル挿脱方向の挿入側よりも前記ケーブルまでの距離が短いことを特徴とする請求項１〜３のうちいずれか１項に記載のコネクタ。
【請求項５】
前記第１端子収容部が前記ケーブルの挿脱方向に延在しており、
前記ハウジングを前記ケーブル挿脱方向が水平となるように配置するとともに、前記ケーブルを当該ハウジングに挿入した状態では、前記第１端子収容部の上面および下面のうち少なくとも何れか一方の面は、前記ケーブル挿脱方向の挿入側のほうが、前記ケーブル挿脱方向の離脱側よりも前記ケーブルまでの距離が短いことを特徴とする請求項１〜４のうちいずれか１項に記載のコネクタ。
【請求項６】
請求項１〜５のうちいずれか１項に記載のコネクタの前記保持端子が前記ケーブルを保持していることを特徴とするコネクタ組立体。
【請求項７】
請求項６に記載のコネクタ組立体で用いられることを特徴とするケーブル。
【発明の詳細な説明】
【技術分野】
【０００１】
本発明は、コネクタ、コネクタ組立体および当該コネクタ組立体で用いられるケーブルに関する。
【背景技術】
【０００２】
従来、コネクタとして、ＦＰＣやＦＦＣ等のシート状のケーブルに形成された複数の導体にそれぞれ接触する複数のコンタクトと、当該複数のコンタクトを収容するハウジングと、当該ハウジングに回動可能に取り付けられるレバーと、を有するものが知られている（例えば、特許文献１参照）。
【０００３】
この特許文献１では、ハウジングに挿入されたケーブルの抜け止めを行うためのロック機構が設けられている。具体的には、ケーブルの幅方向両端にロック孔を形成する一方、当該ロック孔に係合するロック突起を有する保持端子をハウジングの幅方向両端に設け、ロック突起をロック孔内に挿入することで、ケーブルの抜け止めを行っている。
【先行技術文献】
【特許文献】
【０００４】
【特許文献１】特開２０１１−２２２２７３号公報
【発明の概要】
【発明が解決しようとする課題】
【０００５】
しかしながら、上記従来の技術では、ハウジングの幅方向両端にコンタクトとは別に保持端子を設けているため、その分コストが増大してしまう。
【０００６】
また、複数のコンタクトの一部を保持端子として用いることも考えられるが、単にコンタクトを保持端子として用いただけでは、保持端子によってケーブルの仮保持を行うことができず、ケーブルがコネクタから外れてしまうおそれがある。
【０００７】
そこで、本発明は、コストの削減を図りつつ、ケーブルのコネクタからの外れを抑制することのできるコネクタ、コネクタ組立体および当該コネクタ組立体で用いられるケーブルを得ることを目的とする。
【課題を解決するための手段】
【０００８】
本発明のコネクタは、シート状のケーブルが挿入されるハウジングと、前記ハウジングに収容されて前記ケーブルに導通接続される端子と、前記ハウジングに収容されて前記ケーブルを保持する保持端子と、を備え、前記端子は、前記ハウジングに形成された端子収容部に収容されており、前記保持端子は、前記ハウジングに形成された保持端子収容部に収容されており、前記端子は、形状が前記保持端子と同一で、前記端子収容部の第１端子収容部に収容される第１端子を有しており、前記第１端子は、前記ケーブルに接触する接点部を有しており、前記保持端子は、前記第１端子の接点部と対応する部位に形成されて、前記ケーブルを保持する保持部を有しており、前記ハウジングをケーブル挿脱方向が水平となるように配置した状態で、前記保持端子収容部に収容された前記保持端子の前記保持部の高さ位置が、前記第１端子収容部に収容された前記第１端子の前記接点部の高さ位置と異なることを特徴とする。
【発明の効果】
【０００９】
本発明によれば、コストの削減を図りつつ、ケーブルのコネクタからの外れを抑制することのできるコネクタ、コネクタ組立体および当該コネクタ組立体で用いられるケーブルを得ることができる。
【図面の簡単な説明】
【００１０】
【図１】本発明の一実施形態にかかるコネクタおよびケーブルを示す側面図である。
【図２】本発明の一実施形態にかかるコネクタ組立体を示す側面図である。
【図３】本発明の一実施形態にかかるコネクタおよびケーブルを示す斜視図である。
【図４】本発明の一実施形態にかかるケーブルを示す平面図である。
【図５】本発明の一実施形態にかかるハウジングにケーブルを挿入した状態におけるコンタクトとケーブルとの位置関係および保持端子とケーブルとの位置関係を示す斜視図である。
【図６】本発明の一実施形態にかかるコネクタをレバー側から視た正面図である。
【図７】本発明の一実施形態にかかるコネクタをレバー側から視た斜視図である。
【図８】本発明の一実施形態にかかるコネクタからレバーを取り外した状態を示す斜視図である。
【図９】本発明の一実施形態にかかるレバーの枢支軸が軸受部に軸支された状態を示す図であって、（ａ）はレバーの枢支軸が軸受部に軸支された状態を示す断面図、（ｂ）は枢支軸と軸受部との関係を説明する説明図である。
【図１０】本発明の一実施形態にかかるハウジングをケーブル受入部の挿入開口側から視た背面図である。
【図１１】本発明の一実施形態にかかるハウジングの第１コンタクト収容部を示す断面図である。
【図１２】本発明の一実施形態にかかるハウジングの第１コンタクト収容部に第１コンタクトを収容した状態を示す断面図である。
【図１３】本発明の一実施形態にかかるハウジングの第２コンタクト収容部を示す図であって、（ａ）は第２コンタクト収容部を示す断面図、（ｂ）は図１３（ａ）のＡ部を拡大した断面図である。
【図１４】本発明の一実施形態にかかるハウジングの第２コンタクト収容部に第２コンタクトを収容した状態を示す断面図である。
【図１５】本発明の一実施形態にかかるハウジングの保持端子収容部を示す図であって、（ａ）は保持端子収容部を示す断面図、（ｂ）は図１５（ａ）のＢ部を拡大した断面図である。
【図１６】本発明の一実施形態にかかるハウジングの保持端子収容部に保持端子を収容した状態を示す断面図である。
【図１７】本発明の一実施形態にかかるハウジングの保持端子収容部に保持端子を収容した状態をケーブル受入部の挿入開口側から視た背面図である。
【図１８】本発明の一実施形態にかかるハウジングの保持端子収容部に保持端子を収容した状態をケーブル受入部の挿入開口側から視た斜視図である。
【図１９】本発明の一実施形態の第１変形例にかかるレバーの枢支軸が軸受部に軸支された状態を示す断面図である。
【図２０】本発明の一実施形態の第２変形例にかかるレバーの枢支軸が軸受部に軸支された状態を示す断面図である。
【発明を実施するための形態】
【００１１】
以下、本発明の実施形態について図面を参照しながら詳細に説明する。以下では、ケーブル挿脱方向を前後方向Ｘ，ハウジングの長手方向（コンタクトの並設方向：レバーの回動軸方向：ケーブル挿脱方向および厚さ方向と直交する方向）を幅方向Ｙ、ハウジングの厚さ方向（挿入したケーブルの厚さ方向）を上下方向Ｚとして説明する。
【００１２】
また、ケーブルをハウジングから離脱させる際にケーブルが移動する方向（ハウジングのケーブルが配置される側）を前方、ケーブルをハウジングに挿入する際にケーブルが移動する方向（ハウジングのレバーが配置される側）を後方と規定する。そして、ハウジングに装着したレバーが上部に位置するようにコネクタを配置した状態における上方を上方として上下方向を規定する。
【００１３】
本実施形態のコネクタ１０は、図１〜図３に示すように、ＦＰＣやＦＦＣ等の表面及び裏面を持つシート状（平板状）のケーブル２０が挿入される絶縁性のハウジング３０と、ハウジング３０に収容されてケーブル２０に導通接続されるコンタクト（端子）４０と、を備えている。また、コネクタ１０は、ハウジング３０に、開位置（図１に示す状態）と閉位置（図２に示す状態）との間で回動できるように取り付けられるレバー７０を備えている。
【００１４】
シート状のケーブル２０は、本体部２０ａと、本体部２０ａの後端に連設される挿入端部２０ｂと、を備えている。この挿入端部２０ｂには、導体２１が幅方向Ｙに所定のピッチで複数露出しており、導体２１におけるコンタクト（端子）４０の接点部が当接する部位（Ｙ方向に幅広の部位）が前後２列の千鳥状に配置されている（図３〜図５参照）。
【００１５】
なお、導体２１は、挿入端部２０ｂの表裏面にほぼ同一形状となるようにパターニングされており、基本的に、本体部２０ａ内に形成された導体（図示せず）と電気的に接続されている。
【００１６】
そして、ハウジング３０の内部には、ケーブル２０の導体２１に導通接続される導電性の第１コンタクト（第１端子）５０および第２コンタクト（第２端子）６０が幅方向Ｙに所定のピッチで複数並設されている。
【００１７】
このように、本実施形態では、コンタクト（端子）４０は、第１コンタクト（第１端子）５０および第２コンタクト（第２端子）６０を有している。そして、導体２１に導通接続される複数の第１コンタクト５０および複数の第２コンタクト６０をハウジング３０の幅方向（短手方向）Ｙに略一直線上に並ぶように配置することで、信号伝送用のコンタクトとして用いられる端子群４０Ｇを構成している。
【００１８】
なお、本実施形態では、導体２１の幅広の部位のうち前側（本体部２０ａ側）に位置する幅広部２１ａに第１コンタクト５０の接点部（固定側接点部５４ａ、可動側接点部５６ａ）が当接するようにしている。そして、後側（先端側）に位置する幅広部２１ｂに第２コンタクト６０の接点部（固定側接点部６４ａ、可動側接点部６６ａ）が当接するようにしている。
【００１９】
さらに、ハウジング３０の幅方向Ｙ両端には、保持端子５０Ａが設けられている。この保持端子５０Ａは、端子群４Ｇの幅方向Ｙの両側に１つずつ配置されており、当該保持端子５０Ａと端子群４０Ｇを構成する複数の端子４０（第１コンタクト５０および第２コンタクト６０）とが略一直線上に並ぶように配置されている。さらに、本実施形態では、保持端子５０Ａから端子群４０Ｇまでの距離が、上述した所定のピッチ（端子群４０Ｇを構成する端子４０において、幅方向Ｙで隣り合う第１コンタクト５０と第２コンタクト６０との幅方向Ｙの距離）よりも大きくなっている。
【００２０】
そして、ケーブル２０の幅方向Ｙの両端には、幅方向Ｙの外側に開口した切り欠き状の保持孔（係止部：保持部）２２が、厚さ方向に貫通するように形成されている。この保持孔２２は、ケーブル２０をハウジング３０に挿入した状態で、保持端子５０Ａの後述する保持部５４ａと対応する部位に形成されている。
【００２１】
そして、ケーブル２０をハウジング３０に挿入した際に、ケーブル２０の保持孔２２に保持端子５０Ａの保持部５４ａを係止させるようにすることで、ハウジング３０に挿入されたケーブル２０の抜け止めがなされるようにしている（図５および図１８参照）。
【００２２】
また、ハウジング３０には、上述したように、絶縁性のレバー７０が回動可能に取り付けられている。具体的には、レバー７０は、ケーブル２０をハウジング３０に挿入することのできる開位置（図１に示す状態）と、ハウジング３０に挿入したケーブル２０を第１コンタクト４０および第２コンタクト５０で挟持する閉位置（図２に示す状態）と、の間で回動できるように、ハウジング３０に取り付けられている。
【００２３】
ハウジング３０は、合成樹脂等の絶縁材料で形成されている。そして、このハウジング３０の前後方向Ｘの前部（図１１〜図１６の左側：ケーブル挿脱方向の離脱側）には、ケーブル２０を前方から挿入する袋状のケーブル受入部３１が上下方向Ｚの略中間部に形成されている。
【００２４】
このケーブル受入部３１は、天壁部３２と、底壁部３３と、ハウジング３０の前部の幅方向Ｙ両端に形成された両側壁部３４，３４と、両側壁部３４，３４の後端に連設される後壁部３５，３５とで、横広がりとなる扁平な矩形状に画成されている。そして、このケーブル受入部３１は、前方に開口している。このように、本実施形態では、ケーブル受入部３１は、前方に開口する挿入開口３１ａを有する袋状に形成されている。この挿入開口３１ａの開口面積は、シート状（平板状）のケーブル２０の厚さおよび横幅に見合った上下および左右の寸法となっている。
【００２５】
なお、ハウジング３０は、天壁部３２と底壁部３３とでケーブル受入部３１の上下を画成していればよく、幅方向Ｙの両端をハウジング３０とは別部材で形成された側壁（例えば、金属板や樹脂板等）によって画成するようにしてもよい。
【００２６】
また、底壁部３３の後部には、後壁部３５の後面３５ａよりも後方に突出する延設部３３１が形成されている。この延設部３３１の上面３３１ａ側にはレバー７０が載置されるレバー装着部３７が形成されており、このレバー装着部３７にレバー７０が回動可能に装着されている。
【００２７】
レバー７０は、ハウジング３０のレバー装着部３７に収容可能な板状の部材であり、このレバー７０も合成樹脂等の絶縁材料で形成されている。また、レバー７０の本体は、レバー７０を開閉操作するための操作部７２となっている。
【００２８】
そして、本実施形態では、レバー７０の幅方向（回動軸方向）Ｙの両端部に形成された取付部としての枢支軸（回動軸部）７１を、ハウジング３０に形成された被取付部としての軸受部３８に取り付けることで、レバー装着部３７にレバー７０を回動可能に装着している。
【００２９】
具体的には、軸受部（被取付部）３８は、レバー装着部３７の幅方向Ｙ両端部に、幅方向Ｙの内側および前後方向Ｘの前後両側が開放するように形成されており、この軸受部３８がハウジング３０の幅方向Ｙで対向している。より具体的には、２つの軸受部３８は、後述する縦壁部３８ａの内側面３８ｃがハウジング３０の幅方向Ｙで互いに対向するように形成されている。
【００３０】
一方、枢支軸（回動軸部：取付部）７１は、図３および図７に示すように、レバー７０の幅方向Ｙ両端面の基端側にそれぞれ突出形成されている。
【００３１】
そして、ハウジング３０の上方からレバー７０の幅方向Ｙ両端の枢支軸７１をハウジング３０の幅方向Ｙ両端の軸受部３８に軸支させる（取り付ける）ことで、ハウジング３０のレバー装着部３７に、レバー７０が開閉（回動）可能に取り付けられるようにしている（図３、図７および図８参照）。なお、枢支軸（回動軸部）７１は、操作部７２に一体に形成されており、レバー７０を開位置から閉位置に回動させた際に、当該レバー７０の回動に伴って回動するようになっている。
【００３２】
ところで、レバー７０の幅方向Ｙ両端の枢支軸７１をハウジング３０の幅方向Ｙ両端の軸受部３８に単に軸支させる構成では、ケーブル２０がハウジング３０に挿入されていない状態で、レバー７０に触れたり回路基板を積み重ねたりすることで、レバー７０が開位置から閉位置に回動してしまう場合があった。すなわち、レバー７０を開位置から閉位置までスムースに回動させることができる構成（例えば、円柱状に突出させた枢支軸を軸受部に軸支させる構成）では、ケーブル２０がハウジング３０に挿入されていない状態でレバー７０が開位置から閉位置に回動してしまう、いわゆるレバー７０の空閉じが生じてしまう場合があった。そして、このようなレバー７０の空閉じが行われると、端子４０が塑性変形してしまうことがあった。
【００３３】
そこで、本実施形態では、軸受部（被取付部）３８および枢支軸（回動軸：取付部）７１のうち少なくとも何れか一方に、ケーブル２０がハウジング３０に挿入されていない状態でレバー７０が開位置から閉位置に回動するのを抑制する空閉抑制構造８０を形成した。
【００３４】
具体的には、軸受部３８を、延設部３３１の幅方向Ｙの端部と、延設部３３１の幅方向Ｙの端部から上方に延設される縦壁部３８ａと、当該縦壁部３８ａの上端から幅方向Ｙの内側に向けて延設された上壁部３８ｂとで、略Ｕ字状に形成した（図７および図８参照）。
【００３５】
このように、本実施形態では、延設部３３１の幅方向Ｙの端部が第１壁部に相当し、上壁部３８ｂが第２壁部に相当しており、上壁部（第２壁部）３８ｂが、延設部３３１の幅方向Ｙの端部（第１壁部）に片持ち構造で支持されるようになっている。
【００３６】
さらに、延設部（第１壁部）３１１および上壁部（第２壁部）３８ｂのうち少なくともいずれか一方の壁部である上壁部（第２壁部）３８ｂが延設部（第１壁部）３３１に対して弾性変形できる構成としている。
【００３７】
そして、軸受部３８には、当該軸受部３８に枢支軸（回動軸部）７１を軸支した際に、枢支軸（回動軸部）７１の外周面７１ｋに対向する内面が形成されている。
【００３８】
本実施形態では、図９に示すように、略Ｕ字状の軸受部３８に枢支軸（回動軸部）７１を軸支した際には、延設部３３１の幅方向Ｙの端部の上面３３１ａが、枢支軸（回動軸部）７１の外周面７１ｋが対向する内面の一部を構成する第１内面３８ｅとなる。さらに、上壁部（第２壁部）３８ｂの下面３８ｄが、第１壁部の第１内面に対して離間した状態で対向し、枢支軸（回動軸部）７１の外周面７１ｋが対向する内面の一部を構成する第２内面となる。なお、軸受部３８における縦壁部３８ａの内側面３８ｃは、枢支軸（回動軸部）７１の端面７１ｍを受ける軸受面となる（図３，図７および図８参照）。
【００３９】
このように、本実施形態では、軸受部３８は、枢支軸（回動軸部）７１の外周面７１ｋが対向する内面の一部を構成する上面３３１ａ（第１内面３８ｅ）を有する延設部（第１壁部）３３１を備えている。また、軸受部３８は、延設部（第１壁部）３３１の上面３３１ａ（第１内面３８ｅ）に対して離間した状態で対向して内面の一部を構成する下面（第２内面）３８ｄを有する上壁部（第２壁部）３８ｂを備えている。
【００４０】
そして、上壁部（第２壁部）３８ｂが、延設部３３１の幅方向Ｙの端部（第１壁部）に片持ち構造で支持されるようにしている。さらに、延設部（第１壁部）３３１および上壁部（第２壁部）３８ｂのうち少なくともいずれか一方の壁部が弾性変形可能となるようにしている。
【００４１】
一方、枢支軸（回動軸部：取付部）７１は、ＸＺ平面による断面形状（回動軸方向Ｙと直交する方向の断面形状）が略正方形状となるように形成されている。さらに、レバー７０を開位置にした状態で、１つの辺部（１つの平坦面）が上壁部（第２壁部）３８ｂの下面３８ｄと対向するように、枢支軸（回動軸部：取付部）７１をレバー７０の幅方向Ｙ両端面の基端側からそれぞれ突出させている（図９参照）。すなわち、枢支軸（回動軸部：取付部）７１は、レバー７０を開位置にした状態で、２つの平坦面が略水平に延在した状態で上下に配置されるように形成されている。
【００４２】
かかる状態で前後方向および上下方向を規定した場合、枢支軸（回動軸部：取付部）７１の外周面７１ｋは、図９に示すように、上面７１ａと、下面７１ｂと、前側面７１ｃと、後側面７１ｄの４つの平坦面を有することとなる。
【００４３】
そして、上面７１ａと前側面７１ｃとが前側上部頂点７１ｅで連設されており、前側面７１ｃと下面７１ｂとが前側下部頂点７１ｆで連設されている。また、下面７１ｂと後側面７１ｄとが後側下部頂点７１ｇで連設されており、後側面７１ｄと上面７１ａとが後側上部頂点７１ｈで連設されている。
【００４４】
このような形状とすることで、枢支軸（回動軸部）７１は、幅方向（回動軸方向）と直交する方向の幅が幅広となる幅広部７１ｉと幅狭となる幅狭部７１ｊとを有することとなる。
【００４５】
なお、枢支軸（回動軸部）７１の対角部分（前側上部頂点７１ｅと後側下部頂点７１ｇとの間、および、前側下部頂点７１ｆと後側上部頂点７１ｈとの間）が、幅広部７１ｉとなっている。一方、枢支軸（回動軸部）７１の互いに対向する平面間（例えば、上面７１ａと下面７１ｂとの間）が幅狭部７１ｊとなっている。
【００４６】
ここで、本実施形態では、枢支軸（回動軸部）７１の幅狭部７１ｊの幅（上面７１ａから下面７１ｂまでの距離、断面で視た際の１辺の長さ）Ｄ１を、軸受部３８の内面の幅（第１内面３８ｅから下面（第２内面）３８ｄまでの距離）Ｄ２よりも小さくなるようにした。
【００４７】
そして、枢支軸（回動軸部）７１の幅広部７１ｉの幅（前側上部頂点７１ｅから後側下部頂点７１ｇまでの距離、断面で視た際の対角線の長さ）Ｄ３を、軸受部３８の内面の幅（第１内面３８ｅから下面（第２内面）３８ｄまでの距離）Ｄ２よりも大きくなるようにした。
【００４８】
さらに、レバー７０を開位置から閉位置に回動させる途中で、枢支軸（回動軸部）７１の幅広部７１ｉの両端の外周面が、軸受部３８の内面と摺接するようにした。すなわち、幅広部７１ｉの一端である後側下部頂点７１ｇが第１内面３８ｅに摺接するとともに、他端である前側上部頂点７１ｅが下面（第２内面）３８ｄに摺接するようにした。
【００４９】
本実施形態では、枢支軸（回動軸部）７１および軸受部３８をこのような構成とすることで、ケーブル２０がハウジング３０に挿入されていない状態でレバー７０が開位置から閉位置に回動するのを抑制する空閉抑制構造８０を形成している。
【００５０】
また、レバー７０を開位置と閉位置との間で回動させると、枢支軸（回動軸部）７１は、回動中心Ｃを中心に回動することとなる（図９（ｂ）参照）。
【００５１】
このとき、枢支軸（回動軸部）７１は、回動中心Ｃからの距離が最大となる最長部と最小となる最短部とを有している。本実施形態では、前側上部頂点７１ｅが最長部となっており、回動中心Ｃを含み、後側面７１ｄと直交する平面と後側面７１ｄとの交線が最短部となっている。
【００５２】
したがって、軸受部３８の内面のうち上壁部３８ｂの下面（第２内面）３８ｄが、レバー７０を開位置から閉位置まで回動させた際に枢支軸（回動軸部）７１の最長部（前側上部頂点７１ｅ）と対向する対向領域となっている。そして、対向領域（下面３８ｄ）内において、回動中心Ｃからの距離が最短となる領域が最短領域Ｒとなる。この最短領域Ｒは、回動中心Ｃを含み、下面３８ｄと直交する平面と下面３８ｄとの交線である。
【００５３】
ここで、本実施形態では、レバー７０を開位置から閉位置に回動させる途中で最長部（前側上部頂点７１ｅ）と対向する領域が最短領域Ｒとなるようにしている。
【００５４】
さらに、回動中心Ｃから最長部（前側上部頂点７１ｅ）までの距離Ｄ４が回動中心Ｃから最短領域Ｒまでの距離Ｄ５よりも大きくなるようにしている。
【００５５】
こうすることで、レバー７０を開位置から閉位置に回動させる途中で、枢支軸（回動軸部）７１は、後側下部頂点７１ｇの近傍を第１内面３８ｅに摺接させた状態で、最長部（前側上部頂点７１ｅ）が上壁部３８ｂの下面（第２内面）３８ｄに摺接することになる。その結果、ケーブル２０がハウジング３０に挿入されていない状態でレバー７０が開位置から閉位置に回動するのを抑制することができるようになる。
【００５６】
このように、空閉抑制構造８０は、レバー７０を開位置から閉位置に回動させる途中で最長部（前側上部頂点７１ｅ）と対向する領域が最短領域Ｒとなるようにするとともに、回動中心Ｃから最長部（前側上部頂点７１ｅ）までの距離Ｄ４が回動中心Ｃから最短領域Ｒまでの距離Ｄ５よりも大きくなるようにすることで形成することもできる。
【００５７】
さらに、本実施形態では、枢支軸（回動軸部）７１および軸受部３８を樹脂で形成しているため、枢支軸（回動軸部）７１および軸受部３８は、少なくとも互いに当接する部位が樹脂で形成されることになる。
【００５８】
また、図３、図１７および図１８に示すように、ケーブル２０を挿入するケーブル受入部３１を画成する両側壁部３４，３４の幅方向Ｙの内側には、ケーブル２０の挿入をガイドするガイド面３４ａ，３４ａが設けられている。このガイド面３４ａ，３４ａは、後方に向かうにつれて幅方向Ｙの内側に位置するように湾曲した湾曲面となっている。
【００５９】
なお、ケーブル受入部３１は、後壁部３５によって後側が画成されており、この後壁部３５の前側内面３５ｂによってケーブル２０のケーブル受入部３１の幅方向Ｙの両端の後側が画成されている（図１７参照）。
【００６０】
また、レバー７０は、上述したように、図１に示す開位置から図２に示す閉位置まで回動するように、ハウジング３０に取り付けられている。
【００６１】
そして、レバー７０が開位置にある時には、レバー７０はハウジング３０のレバー装着部３７から起立姿勢で立ち上がり、レバー装着部３７の後側略半分がハウジング３０の上方に開放される（図１２、図１４および図１６参照）。このとき、ハウジング３０のケーブル受入部３１にケーブル２０を挿入できるようになっている。
【００６２】
一方、レバー７０が閉位置にある時には、当該レバー７０は略水平姿勢となりハウジング３０のレバー装着部３７に収容され、ケーブル受入部３１内に挿入したケーブル２０を第１コンタクト５０および第２コンタクト６０で挟持するようになっている。
【００６３】
第１コンタクト５０および第２コンタクト６０は、ハウジング３０の幅方向Ｙに複数並設されており、この第１コンタクト５０および第２コンタクト６０は、薄板金属を打抜き加工することで形成されている。
【００６４】
本実施形態では、第１コンタクト５０および第２コンタクト６０は、ハウジング３０の幅方向Ｙに交互に配置されており、端子群４０Ｇの幅方向Ｙ両端に第２コンタクト６０が配置されるようにしている。
【００６５】
なお、第１コンタクト５０は、後方からハウジング３０に挿入されて固定保持され（図１２参照）、第２コンタクト６０は、前方からハウジング３０に挿入されて固定保持される（図１４参照）。
【００６６】
本実施形態では、ハウジング３０には、複数の第１コンタクト５０を収容する溝状の第１コンタクト収容部（端子４０を収容する端子収容部）３６１が前後方向Ｘに貫通するように複数設けられている。また、第２コンタクト６０を収容する溝状の第２コンタクト収容部（端子４０を収容する端子収容部）３６２が前後方向Ｘに貫通するように複数設けられている。そして、この第１コンタクト収容部３６１と第２コンタクト収容部３６２とが、ハウジング３０の幅方向Ｙに交互に設けられている。
【００６７】
この第１コンタクト収容部３６１および第２コンタクト収容部３６２は、前後方向Ｘに延在する縦壁部３６によって仕切られている。すなわち、本実施形態では、複数の第１コンタクト収容部３６１および複数の第２コンタクト収容部３６２は、天壁部３２と底壁部３３と幅方向Ｙの両側で隣り合う２つの縦壁部３６，３６とで前後方向Ｘに貫通するように形成されている。そして、それぞれの第１コンタクト収容部３６１に１つの第１コンタクト５０が後方から挿入され、それぞれの第２コンタクト収容部３６２に１つの第２コンタクト６０が前方から挿入されるようになっている。
【００６８】
そして、図１１〜図１４に示すように、縦壁部３６の前部には、前方に開口する略Ｕ字状の切り欠き３６ａが形成されており、シート状のケーブル２０のケーブル受入部３１への挿入が、縦壁部３６によって邪魔されないようにしている。また、切り欠き３６ａの奥部（前後方向Ｘの後側）に形成される奥壁面３６ｂによって、ケーブル２０の後方（挿入方向）への移動が規制されるようにしている。
【００６９】
また、縦壁部３６の後部は、後方かつ上方に開放するように略Ｌ字状に切り欠かれた形状をしている。そして、縦壁部３６の略Ｌ字状に切りかかれた部位における下側表面３６ｃと上側後面３６ｄとでレバー装着部３７を画成している。このように、本実施形態では、縦壁部３６の後部が上述した延設部３３１の一部を形成している。したがって、縦壁部３６の下側表面３６ｃが、延設部３３１の上面３３１ａの一部を形成している。
【００７０】
さらに、天壁部３２には、前後方向Ｘに延在する第１溝部３２ａおよび第２溝部３２ｂが形成されており、底壁部３３には、前後方向Ｘに延在する第１溝部３３ａおよび第２溝部３３ｂが形成されている（図３参照）。
【００７１】
そして、上述したように、１つの第１コンタクト収容部３６１には、１つの第１コンタクト５０が後方から挿入され、１つの第２コンタクト収容部３６２には、１つの第２コンタクト５０が前方から挿入されるようになっている。
【００７２】
このとき、第１コンタクト５０は、天壁部３２の第１溝部３２ａおよび底壁部３３の第１溝部３３ａに挟持される。一方、第２コンタクト６０は、天壁部３２の第２溝部３２ｂおよび底壁部３３の第２溝部３３ｂに挟持される。
【００７３】
さらに、第１コンタクト５０を収容する第１コンタクト収容部３６１には、第１コンタクト５０を圧入保持する圧入部３６１ａが形成されている。具体的には、第１コンタクト収容部３６１には、後述する固定側アーム部（第１端子側アーム部）５４が挿入される挿通孔３６１ｃが形成されており、この挿通孔３６１ｃは、底壁部３３と壁部３６１ｂとで上下が画成されている。そして、この挿通孔３６１ｃに固定側アーム部（第１端子側アーム部）５４を後側から圧入することで、第１コンタクト５０をハウジング３０に固定保持させている。
【００７４】
また、第２コンタクト６０を収容する第２コンタクト収容部３６２には、第２コンタクト６０を圧入保持する圧入部３６２ａが形成されている。具体的には、第２コンタクト収容部３６２には、後述する端子アーム部６５が挿入される挿通孔３６２ｃが形成されており、この挿通孔３６２ｃは、底壁部３３と壁部３６２ｂとで上下が画成されている。そして、この挿通孔３６２ｃに端子アーム部６５を前側から圧入することで、第２コンタクト６０をハウジング３０に固定保持させている。
【００７５】
第１コンタクト５０は、図１２に示すように、底壁部３３近傍で、前後方向Ｘに延在する棒状の固定側コンタクト部５１を備えている。また、第１コンタクト５０は、天壁部３２近傍で、前後方向Ｘに延在し、固定側コンタクト部５１と上下方向（ハウジング３０の厚さ方向：ケーブル２０の厚さ方向）Ｚに対向する棒状の可動側コンタクト部５２を備えている。そして、固定側コンタクト部５１および可動側コンタクト部５２は、それぞれの前後方向（長手方向）Ｘの中間部同士が連結ばね部５３によって連結されており、略Ｈ字状に形成されている。
【００７６】
固定側コンタクト部５１は、図１２に示すように、底壁部３３に沿って前後方向Ｘ前側（固定側コンタクト部５１の一側）に延在する固定側アーム部（接触部：第１端子側アーム部）５４を備えている。また、固定側コンタクト部５１は、底壁部３３に沿って前後方向Ｘ後側（固定側コンタクト部５１の他側）に延在する端子アーム部５５を備えている。
【００７７】
そして、固定側アーム部（接触部）５４の先端部には、上方（挿入したケーブル２０）に向かって突出した固定側接点部（接点部）５４ａが形成されている。そして、この固定側接点部５４ａがケーブル２０の裏面側（下面側）の図示せぬ導体における前側の幅広部に接触するようになっている。
【００７８】
また、固定側アーム部（接触部）５４の根元側（連結ばね部５３側）には、上方（壁部３６１ｂ）に向かって突出した突出部５４ｂが形成されている。そして、挿通孔３６１ｃに固定側アーム部（接触部）５４を後側から挿入した際に、この突出部５４ｂを壁部３６１ｂに食い込ませることで、固定側アーム部（接触部）５４が圧入部３６１ａに圧入されるようにしている。
【００７９】
また、端子アーム部５５の先端部には、下向きに突出した突出部５５ａが形成されている。この突出部５５ａは、コネクタ１０を回路基板（図示せず）に実装させる際の表面実装用の半田付け部としての機能を有している。なお、突出部５５ａに、第１コンタクト５０の第１コンタクト収容部３６１への挿入時における第１コンタクト５０のハウジング３０に対する最大挿入量を規制するストッパとしての機能を持たせることも可能である。
【００８０】
また、可動側コンタクト部５２は、図１２に示すように、天壁部３２に沿って前後方向Ｘ前側（可動側コンタクト部５２の一側）に延在する可動側アーム部（接触部）５６を備えている。さらに、可動側コンタクト部５２は、天壁部３２に沿って前後方向Ｘ後側（可動側コンタクト部５２の他側）に延在するばね部５７を備えている。
【００８１】
そして、可動側アーム部（接触部）５６の先端部には、下方（挿入したケーブル２０）に向かって突出した可動側接点部（接点部）５６ａが形成されている。そして、この可動側接点部５６ａがケーブル２０の表面側（上面側）の導体２１における前側の幅広部２１ａに接触するようになっている（図５参照）。
【００８２】
本実施形態では、レバー７０が開位置にあるときには、固定側接点部５４ａと可動側接点部５６ａとの間の距離は、ケーブル２０の厚さとほぼ同程度の大きさとなっている。また、ケーブル２０を挿入しない状態でレバー７０を閉位置にしたときには、固定側接点部５４ａと可動側接点部５６ａとの間の距離が、ケーブル２０の厚さよりも小さくなるようにしている。したがって、レバー７０が開位置にあるときには、ケーブル２０をハウジング３０に挿入することができるようになっている。一方、レバー７０が閉位置にあるときには、固定側接点部５４ａと可動側接点部５６ａとがケーブル２０を圧着し、第１コンタクト５０がケーブル２０を挟持することとなる。
【００８３】
また、ばね部５７の下面には、後述するレバー７０のカム部７４が摺接する略円弧状のカム面５７ａが形成されている。
【００８４】
また、連結ばね部５３は、ばね性を有しており、弾性的に撓み変形可能となっている。本実施形態では、連結ばね部５３は、上方かつ前方に傾斜した状態で固定側コンタクト部５１および可動側コンタクト部５２を連結している。そして、ばね部５７の後端と端子アーム部５５の後端とが相対的に開く方向にばね部５７を撓み変形させた際には、連結ばね部５３が弾性的に撓み変形し、可動側コンタクト部５２の可動側アーム部（接触部）５６と固定側コンタクト部５１の固定側アーム部（接触部）５４との間隔が小さくなるようにしている。
【００８５】
一方、第２コンタクト６０は、図１４に示すように、底壁部３３近傍で、前後方向Ｘに延在する棒状の固定側コンタクト部６１を備えている。さらに、第２コンタクト６０は、天壁部３２近傍で、前後方向Ｘに延在し、固定側コンタクト部６１と上下方向（ハウジング３０の厚さ方向：ケーブル２０の厚さ方向）Ｚに対向する棒状の可動側コンタクト部６２を備えている。そして、固定側コンタクト部６１および可動側コンタクト部６２は、それぞれの前後方向（長手方向）Ｘの中間部同士が連結ばね部６３によって連結されており、略Ｈ字状に形成されている。
【００８６】
固定側コンタクト部６１は、図１４に示すように、底壁部３３に沿って前後方向Ｘ前側（固定側コンタクト部６１の一側）に延在する固定側アーム部（接触部：第２端子側アーム部）６４を備えている。さらに、固定側コンタクト部６１は、底壁部３３に沿って前後方向Ｘ後側（固定側コンタクト部６１の他側）に延在する端子アーム部６５を備えている。
【００８７】
そして、固定側アーム部（接触部）６４の略中間部には、上方（挿入したケーブル２０）に向かって突出した固定側接点部（接点部）６４ａが形成されている。そして、この固定側接点部６４ａがケーブル２０の裏面側（下面側）の図示せぬ導体における後側の幅広部に接触するようになっている。
【００８８】
また、固定側アーム部（接触部）６４の先端部には、下向きに突出した突出部６４ｂが形成されている。この突出部６４ｂは、コネクタ１０を回路基板（図示せず）に実装させる際の表面実装用の半田付け部としての機能を有している。なお、突出部６４ｂに、第２コンタクト６０の第２コンタクト収容部３６２への挿入時における第２コンタクト６０のハウジング３０に対する最大挿入量を規制するストッパとしての機能を持たせることも可能である。
【００８９】
また、端子アーム部６５には、下方に突出する突起部６５ａが設けられており、底壁部３３の挿通孔３６２ｃに対応する部位には上方に突出する係合突部３６２ｄが形成されている。そして、挿通孔３６２ｃに端子アーム部６５を圧入する際に、突起部６５ａが係合突部３６２ｄを乗り越えて係合突部３６２ｄの後端に引っ掛かるようにしている。このように、突起部６５ａを係合突部３６２ｄの後端に引っ掛けて係合させることで、第２コンタクト６０をハウジング３０に固定保持させている。
【００９０】
また、可動側コンタクト部６２は、図１４に示すように、天壁部３２に沿って前後方向Ｘ前側（可動側コンタクト部６２の一側）に延在する可動側アーム部（接触部）６６を備えている。さらに、可動側コンタクト部６２は、天壁部３２に沿って前後方向Ｘ後側（可動側コンタクト部６２の他側）に延在するばね部６７を備えている。
【００９１】
そして、可動側アーム部（接触部）６６の先端部には、下方（挿入したケーブル２０）に向かって突出した可動側接点部（接点部）６６ａが形成されている。そして、この可動側接点部６６ａがケーブル２０の表面側（上面側）の導体２１における後側の幅広部２１ｂに接触するようになっている（図５参照）。
【００９２】
本実施形態では、レバー７０が開位置にあるときには、固定側接点部６４ａと可動側接点部６６ａとの間の距離は、ケーブル２０の厚さとほぼ同程度の大きさとなっている。また、ケーブル２０を挿入しない状態でレバー７０が閉位置にあるときには、固定側接点部６４ａと可動側接点部６６ａとの間の距離が、ケーブル２０の厚さよりも小さくなるようにしている。したがって、レバー７０が開位置にあるときには、ケーブル２０をハウジング３０に挿入することができるようになっている。一方、レバー７０が閉位置にあるときには、固定側接点部６４ａと可動側接点部６６ａとがケーブル２０を圧着し、第２コンタクト６０がケーブル２０を挟持することとなる。
【００９３】
また、ばね部６７の下面には、後述するレバー７０のカム部７４が摺接する略円弧状のカム面６７ａが形成されている。
【００９４】
そして、連結ばね部６３は、ばね性を有しており、弾性的に撓み変形可能となっている。本実施形態では、連結ばね部６３は、上方かつ前方に傾斜した状態で固定側コンタクト部６１および可動側コンタクト部６２を連結している。そして、ばね部６７の後端と端子アーム部６５の後端とが相対的に開く方向にばね部６７を撓み変形させた際には、連結ばね部６３が弾性的に撓み変形し、可動側コンタクト部６２の可動側アーム部（接触部）６６と固定側コンタクト部６１の固定側アーム部（接触部）６４との間隔が小さくなるようにしている。
【００９５】
さらに、本実施形態では、図１２および図１４に示すように、第１コンタクト５０の可動側アーム部（接触部）５６のアーム長（有効嵌合長）Ｄ６が、第２コンタクト６０の可動側接触部６６のアーム長（有効嵌合長）Ｄ７よりも長くなるようにし、それぞれの有効嵌合長を異ならせている。
【００９６】
このように、本実施形態では、可動側接点部５６ａを含む第１コンタクト５０の可動側アーム部（接触部）５６が有効嵌合長の長い接触部に相当し、可動側接点部６６ａを含む第２コンタクト６０の可動側アーム部（接触部）６６が有効嵌合長の短い接触部に相当している。
【００９７】
なお、コンタクトの種類は２種類に限るものではなく、３種類以上とすることも可能であるし、１種類とすることも可能である。
【００９８】
ここで、本実施形態では、ハウジング３０の幅方向Ｙ両端に第１コンタクト５０が設けられるようにし、当該両端の第１コンタクト５０を保持端子５０Ａとして用い、ハウジング３０に挿入されたケーブル２０の抜け止めを行うようにしている。
【００９９】
このように、本実施形態では、第１コンタクト５０を保持端子５０Ａとして用いているため、保持端子５０Ａの形状は、第１コンタクト５０と同一の形状となっている。
【０１００】
保持端子５０Ａは、図１６に示すように、底壁部３３近傍で、前後方向Ｘに延在する棒状の固定側保持端子部５１Ａを備えている。さらに、保持端子５０Ａは、天壁部３２近傍で、前後方向Ｘに延在し、固定側保持端子部５１Ａと上下方向（ハウジング３０の厚さ方向：ケーブル２０の厚さ方向）Ｚに対向する棒状の可動側保持端子部５２Ａを備えている。そして、固定側保持端子部５１Ａおよび可動側保持端子部５２Ａは、それぞれの前後方向（長手方向）Ｘの中間部同士が連結ばね部５３Ａによって連結されており、略Ｈ字状に形成されている。
【０１０１】
そして、２つの保持端子５０Ａは、幅方向Ｙの両端に形成された保持端子収容部３６３に、それぞれ後方から挿入されるようになっている。
【０１０２】
この保持端子収容部３６３は、幅方向Ｙの内側が、前後方向Ｘに延在する縦壁部３６によって、幅方向Ｙの内側で隣り合う第２コンタクト収容部３６２と仕切られている。一方、保持端子収容部３６３は、幅方向Ｙの外側が、側壁部３４によって画成されている。すなわち、本実施形態では、保持端子収容部３６３は、天壁部３２と底壁部３３と側壁部３４と縦壁部３６とで、前後方向Ｘに貫通するように形成されており、それぞれの保持端子収容部３６３に１つの保持端子５０Ａが後方から挿入されるようになっている。
【０１０３】
そして、図１５および図１６に示すように、縦壁部３６の前部には、前方に開口する略Ｕ字状の切り欠き３６ａが形成されており、シート状のケーブル２０のケーブル受入部３１への挿入が、縦壁部３６によって邪魔されないようにしている。また、切り欠き３６ａの奥部（前後方向Ｘの後側）に形成される奥壁面３６ｂによって、ケーブル２０の後方（挿入方向）への移動が規制されるようにしている。
【０１０４】
また、縦壁部３６の後部は、後方かつ上方に開放するように略Ｌ字状に切り欠かれた形状をしている。そして、縦壁部３６の略Ｌ字状に切りかかれた部位における下側表面３６ｃと上側後面３６ｄとでレバー装着部３７を画成している。このように、本実施形態では、保持端子収容部３６３と当該保持端子収容部３６３に幅方向Ｙの内側で隣り合う第２コンタクト収容部３６２とを仕切る縦壁部３６の後部も、上述した延設部３３１の一部を形成している。したがって、当該縦壁部３６の下側表面３６ｃも、延設部３３１の上面３３１ａの一部を形成することとなる。
【０１０５】
そして、保持端子収容部３６３に後方から挿入された状態で、保持端子５０Ａが天壁部３２の第１溝部３２ａおよび底壁部３３の第１溝部３３ａに挟持されるようにしている。
【０１０６】
さらに、保持端子５０Ａを収容する保持端子収容部３６３にも、保持端子５０Ａを圧入保持する圧入部３６３ａが形成されている。具体的には、保持端子収容部３６３には、後述する固定側アーム部（保持端子側アーム部）５４が挿入される挿通孔３６３ｃが形成されており、この挿通孔３６３ｃは、底壁部３３と壁部３６３ｂとで上下が画成されている。そして、この挿通孔３６３ｃに固定側アーム部（保持端子側アーム部）５４Ａを後側から圧入することで、保持端子５０Ａをハウジング３０に固定保持させている。
【０１０７】
固定側保持端子部５１は、図１６に示すように、底壁部３３に沿って前後方向Ｘ前側（固定側保持部５１Ａの一側）に延在する固定側アーム部（保持端子側アーム部）５４Ａを備えている。さらに、固定側保持端子部５１は、底壁部３３に沿って前後方向Ｘ後側（固定側保持部５１Ａの他側）に延在する端子アーム部５５Ａを備えている。
【０１０８】
そして、固定側アーム部（保持端子側アーム部）５４Ａの先端部には、上方（挿入したケーブル２０）に向かって突出した固定側保持部（保持部）５４ａＡが形成されている。そして、この固定側保持部５４ａＡが切り欠き状の保持孔（係止部）２２に下側から係止されるようになっている。なお、固定側保持部５４ａＡは、第１コンタクト５０の固定側接点部５４ａを、ケーブル２０を保持する保持部として機能させたものである。
【０１０９】
また、固定側アーム部（保持端子側アーム部）５４Ａの根元側（連結ばね部５３Ａ側）には、上方（壁部３６３ｂ）に向かって突出した突出部５４ｂＡが形成されている。そして、挿通孔３６３ｃに固定側アーム部（保持端子側アーム部）５４Ａを後側から挿入した際に、この突出部５４ｂＡを壁部３６３ｂに食い込ませることで、固定側アーム部（保持端子側アーム部）５４Ａが圧入部３６３ａに圧入されるようにしている。
【０１１０】
また、端子アーム部５５Ａの先端部には、下向きに突出した突出部５５ａＡが形成されている。この突出部５５ａＡは、コネクタ１０を回路基板（図示せず）に実装させる際の表面実装用の半田付け部としての機能を有している。なお、突出部５５ａＡに、保持端子５０Ａの保持端子収容部３６３への挿入時における保持端子５０Ａのハウジング３０に対する最大挿入量を規制するストッパとしての機能を持たせることも可能である。
【０１１１】
また、可動側保持端子部５２Ａは、図１６に示すように、天壁部３２に沿って前後方向Ｘ前側（可動側保持端子部５２Ａの一側）に延在する可動側アーム部５６Ａを備えている。さらに、可動側保持端子部５２Ａは、天壁部３２に沿って前後方向Ｘ後側（可動側保持端子部５２Ａの他側）に延在するばね部５７Ａを備えている。
【０１１２】
そして、可動側アーム部５６Ａの先端部には、下方（挿入したケーブル２０）に向かって突出した可動側保持部５６ａＡが形成されている。そして、この可動側保持部５６ａＡが切り欠き状の保持孔（係止部）２２に上側から係止されるようになっている。なお、可動側保持部５６ａＡは、第１コンタクト５０の可動側接点部５６ａを、ケーブル２０を保持する保持部として機能させたものである。
【０１１３】
また、ばね部５７Ａの下面には、後述するレバー７０のカム部７４が摺接する略円弧状のカム面５７ａＡが形成されている。
【０１１４】
また、連結ばね部５３Ａは、ばね性を有しており、弾性的に撓み変形可能となっている。本実施形態では、連結ばね部５３Ａは、上方かつ前方に傾斜した状態で固定側保持端子部５１Ａおよび可動側保持端子部５２Ａを連結している。そして、ばね部５７Ａの後端と端子アーム部５５Ａの後端とが相対的に開く方向にばね部５７Ａを撓み変形させた際には、連結ばね部５３Ａが弾性的に撓み変形し、可動側保持端子部５２Ａの可動側アーム部５６Ａと固定側保持端子部５１Ａの固定側アーム部５４Ａとの間隔が小さくなるようにしている。
【０１１５】
このように、本実施形態では、第１コンタクト５０を保持端子５０Ａとして用いているため、ケーブル２０を保持するための端子を別途用意する必要がなくなり、コストの削減を図ることができる。
【０１１６】
しかしながら、本実施形態では、レバー７０が開位置にあるときに、固定側接点部５４ａと可動側接点部５６ａとの間の距離を、ケーブル２０の厚さとほぼ同程度の大きさとすることで、ケーブル２０のハウジング３０への挿入性を向上できるようにしている。
【０１１７】
そのため、第１コンタクト５０を保持端子５０Ａとして単に用いるだけでは、ケーブル２０をハウジング３０に挿入した際に、保持端子５０Ａによってケーブル２０を仮保持することができない。
【０１１８】
一方、保持端子５０Ａによってケーブル２０を仮保持できるようにすると、ケーブル２０のハウジング３０への挿入性が悪化してしまう。
【０１１９】
そこで、本実施形態では、ケーブル２０のハウジング３０への挿入性を向上させつつ、保持端子５０Ａによってケーブル２０を仮保持できるようにした。
【０１２０】
具体的には、ハウジング３０を前後方向（ケーブル挿脱方向）Ｘが水平となるように配置した状態で、保持端子収容部３６３に収容された保持端子５０Ａの固定側保持部（保持部）５４ａＡの高さ位置（上下方向Ｚの位置）が、第１コンタクト収容部３６１に収容された第１コンタクト５０の固定側接点部（接点部）５４ａの高さ位置（上下方向Ｚの位置）と異なるようにした。
【０１２１】
本実施形態では、固定側保持部（保持部）５４ａＡおよび固定側接点部（接点部）５４ａを、図１７に示すように、挿入されるケーブル２０よりも下側に位置させた状態で、固定側保持部（保持部）５４ａＡが固定側接点部（接点部）５４ａよりも上方に位置している。
【０１２２】
すなわち、前後方向（ケーブル挿脱方向）Ｘが水平となるようにするとともに、固定側保持部（保持部）５４ａＡおよび固定側接点部（接点部）５４ａの上方にケーブル２０が挿入されるようにハウジング３０を配置した場合には、固定側保持部（保持部）５４ａＡが固定側接点部（接点部）５４ａよりも上方に位置するようにしている。
【０１２３】
そして、本実施形態では、保持端子収容部３６３および第１コンタクト収容部３６１のうち少なくとも何れか一方の収容部に、当該収容部に収容される端子４０のアーム部を変位させる段差部を形成することで、固定側保持部（保持部）５４ａＡの高さ位置を固定側接点部（接点部）５４ａの高さ位置と異ならせている。
【０１２４】
具体的には、保持端子収容部３６３の下部（底壁部３３側）に、前方側が上方となるように段差部３６３ｄを形成した。このような段差部３６３ｄを形成することで、ハウジング３０を前後方向（ケーブル挿脱方向）Ｘが水平となるように配置するとともに、ケーブル２０を当該ハウジング３０に挿入した状態では、保持端子収容部３６３の上面（天壁部３２の下面３２ｃ）および下面（底壁部３３の上面３３ｃ）のうち少なくとも何れか一方の面（本実施形態では下面）は、ケーブル挿脱方向の離脱側（前後方向Ｘの前側）のほうが、ケーブル挿脱方向の挿入側（前後方向Ｘの後側）よりもケーブル２０までの距離が短くなる。
【０１２５】
そして、保持端子収容部３６３に保持端子５０Ａを後側から挿入した際には、固定側アーム部（保持端子側アーム部）５４Ａは、先端（固定側保持部５４ａＡ）が上方に移動するように変位するこことなる。
【０１２６】
さらに、第１コンタクト収容部３６１の下部（底壁部３３側）に、前方側が下方となるように段差部３６１ｄを形成した。このような段差部３６１ｄを形成することで、ハウジング３０を前後方向（ケーブル挿脱方向）Ｘが水平となるように配置するとともに、ケーブル２０を当該ハウジング３０に挿入した状態では、第１コンタクト収容部３６１の上面（天壁部３２の下面３２ｃ）および下面（底壁部３３の上面３３ｃ）のうち少なくとも何れか一方の面（本実施形態では下面）は、ケーブル挿脱方向の挿入側（前後方向Ｘの後側）のほうが、ケーブル挿脱方向の離脱側（前後方向Ｘの前側）よりもケーブル２０までの距離が短くなる。
【０１２７】
そして、第１コンタクト収容部３６１に第１コンタクト５０を後から挿入した際には、固定側アーム部（保持端子側アーム部）５４は、先端（固定側接点部５４ａ）が下方に移動するように変位することとなる。
【０１２８】
このように、段差部３６３ｄを前方が上側となるように形成するとともに、段差部３６１ｄを前方が下側となるように形成することで、固定側保持部（保持部）５４ａＡの高さ位置を固定側接点部（接点部）５４ａの高さ位置よりも上方に位置させている。
【０１２９】
したがって、保持端子収容部３６３に収容した状態における保持端子５０Ａの固定側保持部５４ａＡと可動側保持部５６ａＡとの間の距離Ｄ８は、第１コンタクト収容部３６１に収容した状態における第１コンタクト５０の固定側接点部５４ａと可動側接点部５６ａとの間の距離Ｄ９よりも短くなる。
【０１３０】
かかる構成とすれば、レバー７０が開位置にある状態でケーブル２０をハウジング３０に挿入する際に、ケーブル２０が第１コンタクト５０の固定側接点部５４ａおよび可動側接点部５６ａに干渉してしまうのが抑制される。そのため、ケーブル２０のハウジング３０への挿入性を高めることができるようになる。
【０１３１】
さらに、レバー７０が開位置にある状態でケーブル２０をハウジング３０に挿入した際に、固定側保持部５４ａＡでケーブル２０が仮保持されることとなるため、ケーブル２０のコネクタ１０からの外れを抑制することができるようになる。なお、レバー７０を閉位置にさせると、ケーブル２０は、固定側保持部５４ａＡと可動側保持部５６ａＡとで保持されることとなる。
【０１３２】
このような段差部３６３ｄおよび段差部３６１ｄは、ハウジング３０を金型により樹脂成形する際に形成することができる。例えば、前後方向Ｘに分割された２つの金型（図示せず）を用い、当該２つの金型を合わせた際に、２つの金型の合わせ部（奥壁面３６ｂの位置）に段差が生じるようにすることで、ハウジング３０を樹脂成形する際に段差部３６３ｄおよび段差部３６１ｄも形成されるようにすることができる。
【０１３３】
また、本実施形態では、図４および図５に示すように、ケーブル２０における両端の保持端子５０Ａと対応する部位では、導体２１は、本体部２０ａ内に形成された導体（図示せず）との電気的接続が保持孔２２によって分断されており、両端の保持端子５０Ａは、信号伝送用のコンタクトとして用いられていない。なお、ケーブル２０における両端の保持端子５０Ａと対応する部位に導体２１を設けないようにすることも可能である。
【０１３４】
レバー７０には、図３および図７に示すように、第１コンタクト５０、第２コンタクト６０および保持端子５０Ａにそれぞれ設けたばね部５７，６７，５７Ａに対応するように、貫通孔７３が形成されている。さらに、レバー７０の貫通孔７３に隣接する位置には、レバー７０の回動に伴って回動し、ばね部５７，６７，５７Ａに設けたカム面５７ａ，６７ａ，５７ａＡに摺接するカム部７４が形成されている。
【０１３５】
本実施形態では、カム部７４は、略円柱状の円形部７４ａと、当該円形部７４ａに連設された略直方体状の方形部７４ｂとを備えており、前後方向Ｘ断面視で略鍵穴状に形成されている（図１２，図１４および図１６参照）。
【０１３６】
そして、カム部７４は、レバー７０が開位置にあるときには、横方向（前後方向Ｘ）に細長くなっており、上下方向Ｚの寸法が、第１コンタクト５０のばね部５７と端子アーム部５５との間隔、第２コンタクト６０のばね部６７と端子アーム部６５との間隔および保持端子５０Ａのばね部５７Ａと端子アーム部５５Ａとの間隔よりも小さくなっている。すなわち、レバー７０が開位置にあるときには、カム部７４とばね部５７，６７，５７Ａとは、非接触状態となっている。
【０１３７】
一方、レバー７０を閉方向に回動させた際には、カム部７４が立ち上がるように回動する途中で、カム部７４の上下方向Ｚの寸法が、ばね部５７と端子アーム部５５との間隔、ばね部６７と端子アーム部６５との間隔およびばね部５７Ａと端子アーム部５５Ａとの間隔よりも大きくなるようにしている。
【０１３８】
そして、ばね部５７の先端と端子アーム部５５の先端との間隔、ばね部６７の先端と端子アーム部６５の先端との間隔およびばね部５７Ａの先端と端子アーム部５５Ａの先端との間隔が相対的に開くように、ばね部５７，６７，５７Ａを弾性的に撓み変形させるようにしている。
【０１３９】
次に、レバー７０を閉じる際のコネクタ１０の動作を説明する。
【０１４０】
まず、レバー７０が開位置にある状態で、ケーブル２０をハウジング３０内に挿入する。このとき、固定側アーム部（保持端子側アーム部）５４Ａの固定側保持部５４ａＡがケーブル２０の保持孔（係止部：保持部）２２に下方から挿入され、ケーブル２０が固定側保持部５４ａＡによって係止される。すなわち、ケーブル２０が保持端子５０Ａによって仮保持される。
【０１４１】
そして、レバー７０を図１の時計回り方向に回動させると、カム部７４がばね部５７のカム面５７ａ、ばね部６７のカム面６７ａおよびばね部５７Ａのカム面５７ａＡに当接し、カム面５７ａ，６７ａ，５７ａＡと摺接する。さらに、レバー７０を閉方向に回動させると、カム部７４は、ばね部５７の先端と端子アーム部５５の先端との間隔、ばね部６７の先端と端子アーム部６５の先端との間隔およびばね部５７Ａの先端と端子アーム部５５Ａの先端との間隔が相対的に開くように、ばね部５７，６７，５７Ａを弾性的に撓み変形させる。
【０１４２】
そして、ばね部５７の撓み変形に伴い、連結ばね部５３が弾性的に撓み変形する。このように、ばね部５７および連結ばね部５３を撓ませることで、第１コンタクト５０は、可動側コンタクト部５２の可動側アーム部（接触部）５６と固定側コンタクト部５１の固定側アーム部（接触部）５４との間隔（可動側接点部５６ａと固定側接点部５４ａとの距離）が小さくなるように弾性的に撓み変形する。すなわち、可動側接点部５６ａが固定側接点部５４ａ方向に移動する。その結果、ケーブル２０は、可動側接点部５６ａと固定側接点部５４ａとに圧着された状態で、第１コンタクト５０に導通接続される。
【０１４３】
第２コンタクト６０においても同様の動作が行われる。すなわち、ばね部６７の撓み変形に伴い、連結ばね部６３が弾性的に撓み変形する。このように、ばね部６７および連結ばね部６３を撓ませることで、第２コンタクト６０は、可動側コンタクト部６２の可動側アーム部（接触部）６６と固定側コンタクト部６１の固定側アーム部（接触部）６４との間隔（可動側接点部６６ａと固定側接点部６４ａとの距離）が小さくなるように弾性的に撓み変形する。すなわち、可動側接点部６６ａが固定側接点部６４ａ方向に移動する。その結果、ケーブル２０は、可動側接点部６６ａと固定側接点部６４ａとに圧着された状態で、第２コンタクト６０に導通接続される。
【０１４４】
このとき、幅方向Ｙの両端に配置された保持端子５０Ａの可動側保持部５６ａＡおよび固定側保持部５４ａＡは、ばね部５７Ａおよび連結ばね部５３Ａを撓ませた際に、互いの間隔が小さくなるように弾性的に撓み変形する。その結果、可動側保持部５６ａＡおよび固定側保持部５４ａＡが保持孔２２にケーブル２０の表裏面側からより挿入された状態となる。その結果、可動側保持部５６ａＡおよび固定側保持部５４ａＡが保持孔２２に係止されて、ハウジング３０に挿入されたケーブル２０の抜け止めがなされる。
【０１４５】
一方、枢支軸７１は、レバー７０を図１の時計回り方向に回動させると、レバー７０の回動に伴い、回動中心Ｃを中心として回動する。
【０１４６】
具体的には、枢支軸７１は、レバー７０の回動初期には、前側上部頂点７１ｅが後方かつ上方に移動するように回動する。
【０１４７】
そして、レバー７０を開位置から閉位置に回動させる途中で、幅広部７１ｉの一端である後側下部頂点７１ｇが第１内面３８ｅに当接するとともに、前側上部頂点７１ｅが上壁部（第２壁部）３８ｂの下面（第２内面）３８ｄに当接する。
【０１４８】
この状態で、レバー７０を閉位置に向けてさらに回動させると、枢支軸（回動軸部）７１は、幅広部７１ｉの一端である後側下部頂点７１ｇが第１内面３８ｅに摺接した状態で、他端である前側上部頂点７１ｅが下面（第２内面）３８ｄに摺接する。このとき、枢支軸７１の前側上部頂点７１ｅは、上壁部（第２壁部）３８ｂを上方に弾性変形させながら上壁部（第２壁部）３８ｂの下面（第２内面）３８ｄを摺動することとなる。
【０１４９】
この上壁部（第２壁部）３８ｂの上方への弾性変形は、後側下部頂点７１ｇと前側上部頂点７１ｅとを結ぶ対角線が鉛直方向となるまで行われる。すなわち、前側上部頂点７１ｅが最上部に到達するまで、上壁部（第２壁部）３８ｂが上方に弾性変形することとなる。
【０１５０】
さらに、レバー７０を閉位置に向けて回動させると、枢支軸７１は、前側上部頂点７１ｅが後方かつ下方に移動するように回動し、上壁部（第２壁部）３８ｂが、元の状態に復帰するように下方に移動する。そして、レバー７０を閉位置まで回動させた際には、枢支軸７１の前側面７１ｃが略水平となった状態で上方に配置される。
【０１５１】
このように、本実施形態では、レバー７０を開位置から閉位置まで閉方向に回動させた際に、途中までは、上壁部（第２壁部）３８ｂの弾性復元力がレバー７０の回動方向への回動を阻害する方向に働き、所定の回動量を超えると、上壁部（第２壁部）３８ｂの弾性復元力がレバー７０の回動方向への回動を促進する方向に働くようにしている。すなわち、上壁部（第２壁部）３８ｂの弾性復元力によって枢支軸７１が押圧されることでレバー７０に働くモーメントの作用方向が、レバー７０を開位置から閉位置まで回動させる途中で、開方向から閉方向へと変化するようにしている。
【０１５２】
このように、レバー７０の回動の途中で、レバー７０に働くモーメントの作用方向を開方向から閉方向へと変化させることで、レバー７０の操作時にクリック感を与えるようにしている。なお、閉方向から開方向への回動の際にも、同様のクリック感を与えることができる。
【０１５３】
このように、ケーブル２０をハウジング３０内に挿入した状態で、レバー７０を開位置から閉位置まで回動させることで、コネクタ１０のハウジング３０にケーブル２０を係止したコネクタ組立体１００が形成される。
【０１５４】
以上説明したように、本実施形態では、コネクタ１０は、シート状のケーブル２０が挿入されるハウジング３０と、ハウジング３０に収容されてケーブル２０に導通接続される端子４０と、ハウジング３０に、開位置と閉位置との間で回動できるように取り付けられるレバー７０と、を備えている。
【０１５５】
また、本実施形態では、第１コンタクト収容部（第１端子収容部）３６１に収容される第１コンタクト（第１端子）５０と、保持端子収容部３６３に収容される保持端子５０Ａと、を備えている。そして、第１コンタクト（第１端子）５０と保持端子５０Ａとは形状が同一となっている。
【０１５６】
また、第１コンタクト（第１端子）５０は、ケーブル２０に接触する固定側接点部（接点部）５４ａを有しており、保持端子５０Ａは、第１コンタクト（第１端子）５０の固定側接点部（接点部）５４ａと対応する部位に形成されて、ケーブル２０を保持する固定側保持部（保持部）５４ａＡを有している。
【０１５７】
そして、ハウジング３０を前後方向（ケーブル挿脱方向）Ｘが水平となるように配置した状態で、保持端子収容部３６３に収容された保持端子５０Ａの固定側保持部（保持部）５４ａＡの高さ位置が、第１コンタクト収容部（第１端子収容部）３６１に収容された第１コンタクト（第１端子）５０の固定側接点部（接点部）５４ａの高さ位置と異なるようにしている。
【０１５８】
こうすれば、同一形状の端子４０を、第１コンタクト５０および保持端子５０Ａとして共用することができる上、保持端子５０Ａとして用いる端子４０にケーブル２０の仮保持機能を持たせることが可能となる。
【０１５９】
また、本実施形態では、前後方向（ケーブル挿脱方向）Ｘが水平となるようにするとともに、固定側保持部（保持部）５４ａＡおよび固定側接点部（接点部）５４ａの上方にケーブル２０が挿入されるようにハウジング３０を配置した場合には、固定側保持部（保持部）５４ａＡが固定側接点部（接点部）５４ａよりも上方に位置するようにしている。
【０１６０】
このような構成とすることで、レバー７０が開位置にあるときに、固定側接点部５４ａと可動側接点部５６ａとの間の距離を、ケーブル２０の厚さとほぼ同程度の大きさとした場合であっても、固定側保持部（保持部）５４ａＡがケーブル２０の裏面（下面）よりも上方に突出することになるため、ケーブル２０をハウジング３０に挿入した際には、固定側保持部（保持部）５４ａＡがケーブル２０の保持孔（係止部：保持部）２２に下方から挿入されて係止されることとなる。
【０１６１】
したがって、ケーブル２０のハウジング３０への挿入性を向上させつつ、保持端子５０Ａによってケーブル２０を仮保持できるようになる。
【０１６２】
また、第１コンタクト（第１端子）５０は、前後方向（ケーブル挿脱方向）Ｘに延在して固定側接点部（接点部）５４ａが形成される固定側アーム部（第１端子側アーム部）５４を有しており、保持端子５０Ａは、前後方向（ケーブル挿脱方向）Ｘに延在して固定側保持部（保持部）５４ａＡが形成される固定側アーム部（保持端子側アーム部）５４Ａを有している。
【０１６３】
そして、保持端子収容部３６３および第１コンタクト収容部（第１端子収容部）３６１のうち少なくとも何れか一方の収容部には、当該収容部に収容される端子のアーム部を変位させる段差部（段差部３６１ｄ、段差部３６３ｄ）が形成されている。
【０１６４】
このように、段差部（段差部３６１ｄ、段差部３６３ｄ）を設けることで、同一形状の端子４０を、保持端子収容部３６３や第１コンタクト収容部（第１端子収容部）３６１に収容させるだけで、固定側保持部（保持部）５４ａＡの高さ位置を固定側接点部（接点部）５４ａの高さ位置と異ならせることができる。
【０１６５】
したがって、より簡素な構成で、保持端子５０Ａとして用いる端子４０にケーブル２０の仮保持機能を持たせることが可能となる。
【０１６６】
このとき、保持端子収容部３６３および第１コンタクト収容部（第１端子収容部）３６１の両方に互いに逆方向となる段差部を設けるようにすれば、高さの差を所定の量とする際に、それぞれの端子４０の変位量を少なくすることができる。その結果、端子４０の塑性変形を抑制することができ、コネクタ１０の接続信頼性が低下してしまうのを抑制することができるようになる。
【０１６７】
また、ハウジング３０を樹脂により形成し、当該ハウジング３０を金型により樹脂成形する際に、段差部（段差部３６１ｄ、段差部３６３ｄ）も同時に形成されるようにしてもよい。
【０１６８】
こうすれば、ハウジング３０を樹脂成形する際に段差部（段差部３６１ｄ、段差部３６３ｄ）も形成されるため、段差部の製造がより容易になる。
【０１６９】
また、ハウジング３０を前後方向（ケーブル挿脱方向）Ｘが水平となるように配置するとともに、ケーブル２０を当該ハウジング３０に挿入した状態で、保持端子収容部３６３の上面（天壁部３２の下面３２ｃ）および下面（底壁部３３の上面３３ｃ）のうち少なくとも何れか一方の面（本実施形態では下面）は、ケーブル挿脱方向の離脱側（前後方向Ｘの前側）のほうが、ケーブル挿脱方向の挿入側（前後方向Ｘの後側）よりもケーブル２０までの距離が短くなるようにした。
【０１７０】
こうすれば、同一形状の端子４０を、保持端子収容部３６３に収容させるだけで、固定側保持部（保持部）５４ａＡの高さ位置を固定側接点部（接点部）５４ａの高さ位置と異ならせることができる。すなわち、固定側保持部（保持部）５４ａＡを固定側接点部（接点部）５４ａよりもケーブル２０側に位置させることができる。
【０１７１】
したがって、より簡素な構成で、保持端子５０Ａとして用いる端子４０にケーブル２０の仮保持機能を持たせることが可能となる。
【０１７２】
また、ハウジング３０を前後方向（ケーブル挿脱方向）Ｘが水平となるように配置するとともに、ケーブル２０を当該ハウジング３０に挿入した状態で、第１コンタクト収容部３６１の上面（天壁部３２の下面３２ｃ）および下面（底壁部３３の上面３３ｃ）のうち少なくとも何れか一方の面（本実施形態では下面）は、ケーブル挿脱方向の挿入側（前後方向Ｘの後側）のほうが、ケーブル挿脱方向の離脱側（前後方向Ｘの前側）よりもケーブル２０までの距離が短くなるようにした。
【０１７３】
こうすれば、同一形状の端子４０を、第１コンタクト収容部（第１端子収容部）３６１に収容させるだけで、固定側保持部（保持部）５４ａＡの高さ位置を固定側接点部（接点部）５４ａの高さ位置と異ならせることができる。すなわち、固定側保持部（保持部）５４ａＡを固定側接点部（接点部）５４ａよりもケーブル２０側に位置させることができる。
【０１７４】
したがって、より簡素な構成で、保持端子５０Ａとして用いる端子４０にケーブル２０の仮保持機能を持たせることが可能となる。
【０１７５】
このように、本実施形態によれば、コストの削減を図りつつ、ケーブル２０のコネクタ１０からの外れを抑制することのできるコネクタ１０、コネクタ組立体１００および当該コネクタ組立体１００で用いられるケーブル２０を得ることができる。
【０１７６】
また、レバー７０の幅方向（回動軸方向）Ｙの両端部には、ハウジング３０の軸受部（被取付部）３８に取り付けられる枢支軸（回動軸部：取付部）７１が形成されている。
【０１７７】
そして、枢支軸（回動軸部：取付部）７１および軸受部（被取付部）３８のうち少なくとも何れか一方に、ケーブル２０がハウジング３０に挿入されていない状態でレバー７０が開位置から閉位置に回動するのを抑制する空閉抑制構造８０を形成した。
【０１７８】
こうすることで、ケーブル２０がハウジング３０に挿入されていない状態でレバー７０に触れたり、回路基板を積み重ねたりすることで、レバー７０が開位置から閉位置に回動してしまうのを抑制することができる。その結果、レバー７０の空閉じによる端子４０の塑性変形を抑制することができ、コネクタ１０の接続信頼性が低下してしまうのを抑制することができるようになる。
【０１７９】
また、空閉抑制構造８０をレバー７０の幅方向Ｙの両端に形成することで、芯数（端子４０の数）によらず、レバー７０の開閉時に生じる負荷を一定にすることができる。
【０１８０】
また、本実施形態では、取付部をレバー７０に形成された枢支軸（回動軸部）７１とし、被取付部をハウジング３０に形成されて枢支軸（回動軸部）７１を軸支する軸受部３８としている。
【０１８１】
また、レバー７０を開位置から閉位置に回動させた際に、当該レバー７０の回動に伴って回動するように枢支軸（回動軸部）７１を形成している。
【０１８２】
そして、枢支軸（回動軸部）７１の形状を、幅方向（回動軸方向）Ｙと直交する方向の幅が幅広となる幅広部７１ｉと幅狭となる幅狭部７１ｊとを有する形状とし、軸受部３８に、枢支軸（回動軸部）７１の外周面７１ｋに対向する内面（第１内面３８ｅおよび第２内面３８ｄ）が形成されるようにしている。
【０１８３】
そして、レバー７０を開位置から閉位置に回動させる途中で、枢支軸（回動軸部）７１の幅広部７１ｉの両端の外周面が軸受部３８の内面と摺接するように当該軸受部３８を形成することで、空閉抑制構造８０を形成している。
【０１８４】
こうすることで、幅広部７１ｉを回動の途中で軸受部３８の内面に当接させるだけで、レバー７０が開位置から閉位置に回動してしまうのを抑制することができるようになるため、構成の簡素化を図ることができる。
【０１８５】
また、枢支軸（回動軸部）７１が、当該枢支軸（回動軸部）７１の回動中心Ｃからの距離が最大となる最長部（前側上部頂点７１ｅ）と最小となる最短部（後側面７１ｄ）とを有するようにし、下記の方法により空閉抑制構造８０を形成するようにしてもよい。
【０１８６】
まず、軸受部３８の内面におけるレバー７０を開位置から閉位置まで回動させた際に枢支軸（回動軸部）７１の最長部（前側上部頂点７１ｅ）と対向する領域を対向領域（下面３８ｄ）とし、対向領域のうち枢支軸（回動軸部）７１の回動中心Ｃからの距離が最短となる領域を最短領域Ｒとする。
【０１８７】
そして、レバー７０を開位置から閉位置に回動させる途中で最長部（前側上部頂点７１ｅ）と対向する領域が最短領域Ｒとなるようにするとともに、枢支軸（回動軸部）７１の回動中心Ｃから最短領域Ｒまでの距離が枢支軸（回動軸部）７１の回動中心Ｃから最長部（前側上部頂点７１ｅ）までの距離よりも短くなるように軸受部３８を形成する。
【０１８８】
こうして、空閉抑制構造８０を形成する。
【０１８９】
このような構成とすれば、最長部を回動の途中で軸受部３８の内面に当接させるだけで、レバー７０が開位置から閉位置に回動してしまうのを抑制することができるようになるため、構成の簡素化を図ることができるようになる。
【０１９０】
また、本実施形態では、枢支軸（回動軸部）７１は、幅方向（回動軸方向）Ｙと直交する方向の断面形状が略正方形状をしている。
【０１９１】
こうすれば、構成を複雑化させることなく空閉抑制構造８０を形成することができるようになる上、レバー７０をより容易に製造することができる。
【０１９２】
また、断面形状を略正方形状とすることで、本実施形態のように、レバー７０を開位置から閉位置まで約９０°回動させる場合には、レバー７０が開位置にある状態および閉位置にある状態のいずれの状態であっても、４つの平坦面のうちの１つの平坦面（本実施形態では、開位置にある状態では図９の下面７１ｂ、閉位置にある状態では図９の後側面７１ｄ）を延設部３３１の幅方向Ｙの端部の上面３３１ａ（第１内面３８ｅ）に面接触させることが可能となる。そのため、レバー７０を、開位置および閉位置の状態でより安定して保持させることができるようになる。すなわち、レバー７０が開位置にあるときには、レバー７０が閉位置に回動してしまうのが、下面７１ｂと第１内面３８ｅとの面接触によって抑制され、レバー７０が閉位置にあるときには、レバー７０が開位置に回動してしまうのが、後側面７１ｄと第１内面３８ｅとの面接触によって抑制されるようにすることができる。
【０１９３】
また、本実施形態では、枢支軸（回動軸部）７１および軸受部３８の少なくとも互いに当接する部位を樹脂で形成している。
【０１９４】
このように、枢支軸（回動軸部）７１と軸受部３８との接触を樹脂同士の接触とすることで、金属と樹脂との接触の場合に比べて樹脂が削られにくくなるため、レバー７０の開閉時に生じる負荷をより適正な状態で維持することが可能となる。すなわち、レバー７０の開閉時に生じる負荷が大きくなりすぎたり、小さくなりすぎたりしてしまうのを抑制することができる。
【０１９５】
また、本実施形態では、軸受部３８は、枢支軸（回動軸部）７１の外周面７１ｋが対向する内面の一部を構成する第１内面３８ｅを有する延設部（第１壁部）３３１と、当該延設部（第１壁部）３３１の第１内面３８ｅに対して離間した状態で対向して内面の一部を構成する下面（第２内面）３８ｄを有する上壁部（第２壁部）３８ｂと、を備えている。
【０１９６】
そして、上壁部（第２壁部）３８ｂが延設部（第１壁部）３３１に片持ち構造で支持されるようにしている。
【０１９７】
こうすれば、上壁部（第２壁部）３８ｂが延設部（第１壁部）３３１に対して相対的に変位しやすくなるため、レバー７０の開閉時に生じる負荷をこの変位により吸収することが可能となる。その結果、レバー７０の開閉時に生じる負荷をより適正な状態で維持することが可能となる。
【０１９８】
また、本実施形態では、上壁部（第２壁部）３８ｂおよび延設部（第１壁部）３３１のうち少なくともいずれか一方の壁部が弾性変形可能に形成されている。
【０１９９】
そのため、レバー７０の開閉時に生じる負荷をこの弾性変形により吸収することが可能となる。その結果、レバー７０の開閉時に生じる負荷をより適正な状態で維持することが可能となる。
【０２００】
以上、本発明の好適な実施形態について説明したが、本発明は上記実施形態には限定されず、種々の変形が可能である。
【０２０１】
例えば、延設部（第１壁部）３３１および上壁部（第２壁部）３８ｂのうち少なくともいずれか一方の壁部に傾斜面３８ｆを形成するようにしてもよい。
【０２０２】
図１９では、上壁部（第２壁部）３８ｂの下面３８ｄに前方かつ下方に向けて傾斜する傾斜面３８ｆを形成したものを例示している。このように、上壁部（第２壁部）３８ｂの下面３８ｄに前方かつ下方に向けて傾斜する傾斜面３８ｆを形成することで、レバー７０を開位置から閉位置に回動させる際に上方に移動する枢支軸（回動軸部）７１の前側において、枢支軸（回動軸部）７１と下面３８ｄとの距離が小さくなる。
【０２０３】
その結果、レバー７０を開位置から閉位置に回動させる途中の初期段階（レバー７０をあまり回動させない状態）で、枢支軸（回動軸部）７１の前側上部頂点７１ｅを傾斜面３８ｆに接触させることができるようになる。すなわち、レバー７０は、ほぼ開位置の状態で前側上部頂点７１ｅを傾斜面３８ｆに接触することとなる。
【０２０４】
このような構成としても、レバー７０を開位置から閉位置に回動させる途中で、枢支軸（回動軸部）７１の幅広部７１ｉの両端の外周面が、軸受部３８の内面と摺接する。すなわち、幅広部７１ｉの一端である後側下部頂点７１ｇが第１内面３８ｅに摺接するとともに、他端である前側上部頂点７１ｅが下面（第２内面）３８ｄの傾斜面３８ｆに摺接することとなる。
【０２０５】
そして、枢支軸（回動軸部）７１および軸受部３８をこのような構成とすることでも、ケーブル２０がハウジング３０に挿入されていない状態でレバー７０が開位置から閉位置に回動するのを抑制する空閉抑制構造８０を形成することができる。
【０２０６】
以上の構成としても、上記実施形態と同様の作用、効果を奏することができる。
【０２０７】
また、図１９に示す構成とすれば、レバー７０がほぼ開位置にある状態で、枢支軸（回動軸部）７１の前側上部頂点７１ｅが傾斜面３８ｆに接触するため、早い段階でレバー７０の閉方向への回動が規制されることとなり、より確実にレバー７０の空閉を抑制することができるようになる。
【０２０８】
また、図２０に示すように、枢支軸（回動軸部）７１の頂点のエッジが鋭くなる（曲率半径Ｒが小さくなる）ようにすることで、空閉抑制構造８０を形成することも可能である。
【０２０９】
具体的には、図２０においても、図９と同様に、枢支軸（回動軸部）７１は、ＸＺ平面による断面形状（回動軸方向Ｙと直交する方向の断面形状）が略正方形状となるように形成されている。すなわち、枢支軸（回動軸部）７１は、ＸＺ平面による断面形状が４つの頂点（３つ以上の頂点）を有する形状をしている。
【０２１０】
これら４つの頂点（前側上部頂点７１ｅ、前側下部頂点７１ｆ、後側下部頂点７１ｇ、および、後側上部頂点７１ｈ）は、レバー７０が開位置から閉位置に回動する際に、延設部（第１壁部）３３１の第１内面３８ｅおよび上壁部（第２壁部）３８ｂの下面（第２内面）３８ｄに当接する２つの頂点（前側上部頂点７１ｅおよび後側下部頂点７１ｇ）を有している。また、延設部（第１壁部）３３１の第１内面３８ｅおよび上壁部（第２壁部）３８ｂの下面（第２内面）３８ｄに当接しない頂点（前側下部頂点７１ｆおよび後側上部頂点７１ｈ）を有している。
【０２１１】
そして、レバー７０が開位置から閉位置に回動する際に、第１内面３８ｅおよび下面（第２内面）３８ｄに当接する２つの頂点のうち少なくともいずれか一方の頂点の曲率半径Ｒ１を、第１内面３８ｅおよび下面（第２内面）３８ｄに当接していない頂点の曲率半径Ｒ２よりも小さくしている。
【０２１２】
図２０では、下面（第２内面）３８ｄに当接する前側上部頂点７１ｅの曲率半径Ｒ１を、第１内面３８ｅおよび下面（第２内面）３８ｄに当接していない頂点（前側下部頂点７１ｆおよび後側上部頂点７１ｈ）の曲率半径Ｒ２よりも小さくしたものを例示している。
【０２１３】
なお、図２０では、第１内面３８ｅに当接する後側下部頂点７１ｇの曲率半径が、第１内面３８ｅおよび下面（第２内面）３８ｄに当接していない頂点（前側下部頂点７１ｆおよび後側上部頂点７１ｈ）の曲率半径Ｒ２と略同一の大きさとなるものを例示している。
【０２１４】
しかしながら、後側下部頂点７１ｇの曲率半径も、前側上部頂点７１ｅの曲率半径Ｒ１と略同一の大きさとすることも可能である。また、前側上部頂点７１ｅの曲率半径を曲率半径Ｒ２と同じ大きさとしつつ、後側下部頂点７１ｇの曲率半径を曲率半径Ｒ２よりも小さくする（曲率半径Ｒ１とする）ことも可能である。
【０２１５】
このような構成としても、レバー７０を開位置から閉位置に回動させる途中で、枢支軸（回動軸部）７１の幅広部７１ｉの両端の外周面が、軸受部３８の内面と摺接する。すなわち、幅広部７１ｉの一端である後側下部頂点７１ｇが第１内面３８ｅに摺接するとともに、他端である前側上部頂点７１ｅが下面（第２内面）３８ｄの傾斜面３８ｇに摺接することとなる。
【０２１６】
このとき、前側上部頂点７１ｅの曲率半径Ｒ１が他の頂点の曲率半径Ｒ２よりも小さくなっているため、前側上部頂点７１ｅが下面（第２内面）３８ｄを押圧する力を頂点部分に集中させることができる。すなわち、前側上部頂点７１ｅと下面（第２内面）３８ｄとが接触する直線上に押圧力をより集中させることができる。その結果、前側上部頂点７１ｅが下面（第２内面）３８ｄに摺動しにくくなって、ケーブル２０がハウジング３０に挿入されていない状態でレバー７０が開位置から閉位置に回動するのをより確実に抑制することができるようになる。
【０２１７】
以上の構成としても、上記実施形態と同様の作用、効果を奏することができる。
【０２１８】
また、上記実施形態では、端子収容部に段差部を設けることで、保持部の高さ位置を接点部の高さ位置と異ならせているが、端子収容部に傾斜面を設けることで保持部の高さ位置を接点部の高さ位置と異ならせるようにしてもよい。また、保持端子収容部自体の高さ位置を第１端子収容部とは異なるようすることで、保持部の高さ位置を接点部の高さ位置と異ならせるようにしてもよい。
【０２１９】
また、回動軸部の断面形状を楕円形状や多角形状、星形等の形状とすることも可能であるし、軸受部を幅方向内側に開口する筒状とすることも可能である。
【０２２０】
また、ハウジングやレバー、カム部、その他細部のスペック（形状、大きさ、レイアウト等）も適宜に変更することが可能である。
【符号の説明】
【０２２１】
１０  コネクタ
２０  ケーブル
３０  ハウジング
３６１  第１コンタクト収容部（端子収容部：第１端子収容部）
３６１ｄ  段差部
３６３  保持端子収容部
３６３ｄ  段差部
４０  コンタクト（端子）
５０  第１コンタクト（第１端子）
５４  固定側アーム部（第１端子側アーム部）
５４ａ  固定側接点部（接点部）
５０Ａ  保持端子
５４Ａ  固定側アーム部（保持端子側アーム部）
５４ａＡ  固定側保持部（保持部）
１００  コネクタ組立体
【図１】
0006512551.tif 000002
【図２】
0006512551.tif 000003
【図３】
0006512551.tif 000004
【図４】
0006512551.tif 000005
【図５】
0006512551.tif 000006
【図６】
0006512551.tif 000007
【図７】
0006512551.tif 000008
【図８】
0006512551.tif 000009
【図９】
0006512551.tif 000010
【図１０】
0006512551.tif 000011
【図１１】
0006512551.tif 000012
【図１２】
0006512551.tif 000013
【図１３】
0006512551.tif 000014
【図１４】
0006512551.tif 000015
【図１５】
0006512551.tif 000016
【図１６】
0006512551.tif 000017
【図１７】
0006512551.tif 000018
【図１８】
0006512551.tif 000019
【図１９】
0006512551.tif 000020
【図２０】
0006512551.tif 000021